(57)【特許請求の範囲】
【請求項１】
サービング基地局に適用されたセル切り替え方法であって、
切り替え対象端末に、ビーム設定情報を含む測定設定情報を送信するステップと、
前記端末が前記測定設定情報に基づいて隣接セルを測定した後、前記端末が前記ビーム設定情報に基づいて送信したビーム測定結果を受信するステップと、
前記ビーム測定結果に基づいて、前記端末が切り替えられるターゲットセルを決定し、ターゲットネットワーク機器を介して前記端末を前記ターゲットセルに切り替えるステップとを含み、
前記ビーム設定情報は、ビーム測定結果の報告閾値および報告数を含み、
前記ターゲットセルを決定する前に、前記方法はさらに、前記端末の移動速度を取得するステップを含み、
前記ターゲットセルを決定する前記ステップは、前記移動速度および前記ビーム測定結果に基づいて前記ターゲットセルを決定するステップを含み、
前記移動速度および前記ビーム測定結果に基づいて前記ターゲットセルを決定する前記ステップは、
前記移動速度が第１所定速度閾値以上である場合、隣接セルの中からサービス品質が第１所定品質閾値以上である決定対象セルを決定し、決定対象セルごとに前記ビーム測定結果が前記報告閾値以上のビームである第１ビームの数を決定し、かつ前記第１ビームの数が最も多い決定対象セルを前記ターゲットセルとして決定するステップと、
前記移動速度が前記第１所定速度閾値未満で、且つ第２所定速度閾値以上である場合、サービス品質が最高のセルを前記ターゲットセルとして決定し、または、前記決定対象セルのうちのいずれか１つのセルを前記ターゲットセルとして決定するステップと、
前記移動速度が前記第２所定速度閾値未満である場合、サービス品質が最高のセルを前記ターゲットセルとして決定するステップとを含む、
ことを特徴とするセル切り替え方法。
【請求項２】
ターゲットネットワーク機器を介して前記端末を前記ターゲットセルに切り替える前記ステップは、
前記ターゲットネットワーク機器が前記ビーム測定結果に基づいて、前記端末の前記ターゲットセルへの切り替えを許可するか否かを決定するように、ターゲットネットワーク機器に前記ターゲットセルのビーム測定結果を含む切り替え要求メッセージを送信するステップと、
前記ターゲットネットワーク機器が前記端末の前記ターゲットセルへの切り替えを許可し、かつ前記ビーム測定結果に基づいて、前記ターゲットセルの中からターゲットビームを決定した後、前記ターゲットネットワーク機器が送信し前記ターゲットビームのビーム識別子を含む切り替え応答メッセージを受信するステップと、
前記端末が前記ビーム識別子に基づいて前記ターゲットビームで前記ターゲットセルに切り替えるように、前記端末に前記ビーム識別子を含む切り替え指示メッセージを送信するステップとを含む、ことを特徴とする請求項１に記載の方法。
【請求項３】
端末に適用されたセル切り替え方法であって、
現在セルのサービング基地局が送信しビーム設定情報を含む測定設定情報を受信するステップと、
前記測定設定情報に基づいて、前記現在セルの隣接セルのビームを測定するステップと、
前記ビーム設定情報に基づいて、前記サービング基地局にビーム測定結果を送信するステップと、
前記サービング基地局が前記ビーム測定結果に基づいて、前記端末が切り替えられるターゲットセルを決定した後、前記サービング基地局が送信した切り替え指示メッセージを受信するステップと、
前記切り替え指示メッセージに基づいて、前記ターゲットセルに切り替えるステップとを含み、
前記ビーム設定情報はビーム測定結果の報告閾値および報告数を含み、
前記サービング基地局にビーム測定結果を送信するステップは、
前記ビーム測定結果が前記報告閾値以上のビームの数を決定するステップと、
前記ビームの数が前記報告数以上である場合、前記サービング基地局に、前記隣接セル内のビーム測定結果が最高のＭ個（Ｍは前記報告数である）のビームのビーム測定値を含む第１ビーム測定結果を送信するステップと、
前記ビームの数が前記報告数未満である場合、前記サービング基地局に、前記隣接セル内のビーム測定結果が最高のＮ個（Ｎは前記ビームの数である）のビームのビーム測定値を含む第２ビーム測定結果を送信するステップとを含む、
ことを特徴とするセル切り替え方法。
【請求項４】
前記切り替え指示メッセージは、ターゲットビームのビーム識別子を含み、
前記切り替え指示メッセージに基づいて、前記ターゲットセルに切り替える前記ステップは、
前記ビーム識別子に基づいて前記ターゲットビームで前記ターゲットセルに切り替えるステップを含む、ことを特徴とする請求項３に記載の方法。
【請求項５】
サービング基地局に適用されたセル切り替え装置であって、
切り替え対象端末に、ビーム設定情報を含む測定設定情報を送信する第１送信モジュールと、
前記端末が前記測定設定情報に基づいて隣接セルを測定した後、前記端末が前記ビーム設定情報に基づいて送信したビーム測定結果を受信する第１受信モジュールと、
前記ビーム測定結果に基づいて、前記端末が切り替えられるターゲットセルを決定し、ターゲットネットワーク機器を介して前記端末を前記ターゲットセルに切り替えるセル決定モジュールとを備え、
前記ビーム設定情報はビーム測定結果の報告閾値および報告数を含み、
前記装置はさらに、
前記端末の移動速度を取得する第１取得モジュールと、
前記移動速度および前記ビーム測定結果に基づいて前記ターゲットセルを決定する前記セル決定モジュールとを備え、
前記セル決定モジュールは、前記移動速度が第１所定速度閾値以上である場合、隣接セルの中からサービス品質が第１所定品質閾値以上である決定対象セルを決定し、決定対象セルごとに前記ビーム測定結果が前記報告閾値以上のビームである第１ビームの数を決定し、かつ前記第１ビームの数が最も多い決定対象セルを前記ターゲットセルとして決定し、前記移動速度が前記第１所定速度閾値未満で、且つ第２所定速度閾値以上である場合、サービス品質が最高のセルを前記ターゲットセルとして決定し、または、前記決定対象セルのうちのいずれか１つのセルを前記ターゲットセルとして決定し、前記移動速度が前記第２所定速度閾値未満である場合、サービス品質が最高のセルを前記ターゲットセルとして決定する、
ことを特徴とするセル切り替え装置。
【請求項６】
前記セル決定モジュールは、
前記ターゲットネットワーク機器が前記ビーム測定結果に基づいて、前記端末の前記ターゲットセルへの切り替えを許可するか否かを決定するように、ターゲットネットワーク機器に、前記ターゲットセルのビーム測定結果を含む切り替え要求メッセージを送信する第１送信サブモジュールと、
前記ターゲットネットワーク機器が前記端末の前記ターゲットセルへの切り替えを許可し、かつ前記ビーム測定結果に基づいて、前記ターゲットセルの中からターゲットビームを決定した後、前記ターゲットネットワーク機器が送信し前記ターゲットビームのビーム識別子を含む切り替え応答メッセージを受信する受信サブモジュールと、
前記端末が前記ビーム識別子に基づいて前記ターゲットビームで前記ターゲットセルに切り替えるように、前記端末に前記ビーム識別子を含む切り替え指示メッセージを送信する第２送信サブモジュールとを備える、ことを特徴とする請求項５に記載の装置。
【請求項７】
端末に適用されたセル切り替え装置であって、
現在セルのサービング基地局が送信しビーム設定情報を含む測定設定情報を受信する第２受信モジュールと、
前記測定設定情報に基づいて、前記現在セルの隣接セルのビームを測定する測定モジュールと、
前記ビーム設定情報に基づいて、前記サービング基地局にビーム測定結果を送信する第２送信モジュールと、
前記サービング基地局が前記ビーム測定結果に基づいて、前記端末が切り替えられるターゲットセルを決定した後、前記サービング基地局が送信した切り替え指示メッセージを受信する第３受信モジュールと、
前記切り替え指示メッセージに基づいて、前記ターゲットセルに切り替える切り替えモジュールとを備え、
前記ビーム設定情報はビーム測定結果の報告閾値および報告数を含み、
前記第２送信モジュールは、前記ビーム測定結果が前記報告閾値以上のビームの数を決定し、前記ビームの数が前記報告数以上である場合、前記サービング基地局に、前記隣接セル内のビーム測定結果が最高のＭ個（Ｍは前記報告数である）のビームのビーム測定値を含む第１ビーム測定結果を送信し、前記ビームの数が前記報告数未満である場合、前記サービング基地局に、前記隣接セル内のビーム測定結果が最高のＮ個（Ｎは前記ビーム数である）のビームのビーム測定値を含む第２ビーム測定結果を送信する、
ことを特徴とするセル切り替え装置。
【請求項８】
前記切り替え指示メッセージはターゲットビームのビーム識別子を含み、
前記切り替えモジュールは、前記ビーム識別子に基づいて前記ターゲットビームで前記ターゲットセルに切り替える、ことを特徴とする請求項７に記載の装置。
【請求項９】
非一時的コンピュータ可読記憶媒体であって、請求項１または２に記載の方法を実行するための１つまたは複数のプログラムを含む、ことを特徴とする非一時的コンピュータ可読記憶媒体。
【請求項１０】
サービング基地局であって、
請求項９に記載の非一時的コンピュータ可読記憶媒体、および
前記非一時的コンピュータ可読記憶媒体におけるプログラムを実行するための１つまたは複数のプロセッサを備える、ことを特徴とするサービング基地局。
【請求項１１】
非一時的コンピュータ可読記憶媒体であって、請求項３または４に記載の方法を実行するための１つまたは複数のプログラムを含む、ことを特徴とする非一時的コンピュータ可読記憶媒体。
【請求項１２】
サービング基地局であって、
請求項１１に記載の非一時的コンピュータ可読記憶媒体、および
前記非一時的コンピュータ可読記憶媒体におけるプログラムを実行するための１つまたは複数のプロセッサを備える、ことを特徴とするサービング基地局。
【発明の詳細な説明】
【技術分野】
【０００１】
本開示は、通信分野に関し、特にセル切り替え方法および装置に関する。
【背景技術】
【０００２】
通信システムにおいて、端末が一方のセル（基地局または基地局のカバレッジ）から他方のセルに移動するとき、端末通信の連続性を確保するために、チャンネル切り替えを必要とする。
【０００３】
４Ｇネットワークでは、セル切り替えは、端末による隣接セルの基準シンボルのＲＳＲＰ（Ｒｅｆｅｒｅｎｃｅ  Ｓｉｇｎａｌ  Ｒｅｃｅｉｖｉｎｇ  Ｐｏｗｅｒ、参考信号受信パワー）／ＲＳＲＱ（Ｒｅｆｅｒｅｎｃｅ  Ｓｉｇｎａｌ  Ｒｅｃｅｉｖｉｎｇ  Ｑｕａｌｉｔｙ、参考信号受信品質）の報告に基づくものであり、サービスセルが判定してターゲットセルと対話し、それによってセル切り替えを行う。
【０００４】
しかし、従来の切り替えは、基準シンボルのＲＳＲＰ／ＲＳＲＱの報告に基づくため、セル自体のサービス品質だけを考慮に入れるので、決定されたターゲットセルが最適なターゲットセルではない可能性がある。
【発明の概要】
【０００５】
上記問題を解決するために、本開示は、セル切り替え方法および装置を提供する。
【０００６】
上記目的を達成させるために、本開示の実施例の第１態様によれば、サービング基地局に適用されたセル切り替え方法であって、切り替え対象端末に、ビーム設定情報を含む測定設定情報を送信するステップと、前記端末が前記測定設定情報に基づいて隣接セルを測定した後、前記端末が前記ビーム設定情報に基づいて送信したビーム測定結果を受信するステップと、前記ビーム測定結果に基づいて、前記端末切り替え対象ターゲットセルを決定し、ターゲットネットワーク機器を介して前記端末を前記ターゲットセルに切り替えるステップとを含む、セル切り替え方法を提供する。
【０００７】
本開示の実施例の第２態様によれば、端末に適用されたセル切り替え方法であって、現在セルのサービング基地局が送信しビーム設定情報を含む測定設定情報を受信するステップと、前記測定設定情報に基づいて、前記現在セルの隣接セルのビームを測定するステップと、前記ビーム設定情報に基づいて、前記サービング基地局にビーム測定結果を送信するステップと、前記サービング基地局が前記ビーム測定結果に基づいて、前記端末切り替え対象ターゲットセルを決定した後、前記サービング基地局が送信した切り替え指示メッセージを受信するステップと、前記切り替え指示メッセージに基づいて、前記ターゲットセルに切り替えるステップとを含む、セル切り替え方法を提供する。
【０００８】
本開示の実施例の第３態様によれば、ターゲットネットワーク機器に適用されたセル切り替え方法であって、サービング基地局が送信し前記サービング基地局が決定したターゲットセルのビーム測定結果を含む切り替え要求メッセージを受信するステップと、前記ビーム測定結果に基づいて、前記ターゲットセルの中からターゲットビームを決定するステップと、前記サービング基地局が端末を前記ターゲットビームで前記ターゲットセルに切り替えるように、前記サービング基地局に前記ターゲットビームのビーム識別子を含む切り替え応答メッセージを送信するステップとを含む、セル切り替え方法を提供する。
【０００９】
本開示の実施例の第４態様によれば、サービング基地局に適用されたセル切り替え装置であって、切り替え対象端末にビーム設定情報を含む測定設定情報を送信する第１送信モジュールと、前記端末が前記測定設定情報に基づいて隣接セルを測定した後、前記端末が前記ビーム設定情報に基づいて送信したビーム測定結果を受信する第１受信モジュールと、前記ビーム測定結果に基づいて、前記端末切り替え対象ターゲットセルを決定し、ターゲットネットワーク機器を介して前記端末を前記ターゲットセルに切り替えるセル決定モジュールとを備える、セル切り替え装置を提供する。
【００１０】
本開示の実施例の第５態様によれば、端末に適用されたセル切り替え装置であって、現在セルのサービング基地局が送信しビーム設定情報を含む測定設定情報を受信する第２受信モジュールと、前記測定設定情報に基づいて、前記現在セルの隣接セルのビームを測定する測定モジュールと、前記ビーム設定情報に基づいて、前記サービング基地局にビーム測定結果を送信する第２送信モジュールと、前記サービング基地局が前記ビーム測定結果に基づいて、前記端末切り替え対象ターゲットセルを決定した後、前記サービング基地局が送信した切り替え指示メッセージを受信する第３受信モジュールと、前記切り替え指示メッセージに基づいて、前記ターゲットセルに切り替える切り替えモジュールとを備える、セル切り替え装置を提供する。
【００１１】
本開示の実施例の第６態様によれば、ターゲットネットワーク機器に適用されたセル切り替え装置であって、サービング基地局が送信し前記サービング基地局が決定したターゲットセルのビーム測定結果を含む切り替え要求メッセージを受信する要求メッセージ受信モジュールと、前記ビーム測定結果に基づいて、前記ターゲットセルの中からターゲットビームを決定するビーム決定モジュールと、前記サービング基地局が端末を前記ターゲットビームで前記ターゲットセルに切り替えるように、前記サービング基地局に前記ターゲットビームのビーム識別子を含む切り替え応答メッセージを送信する第３送信モジュールとを備えるセル切り替え装置を提供する。
【００１２】
本開示の実施例の第７態様によれば、上記第１態様に記載の方法を実行するための１つまたは複数のプログラムを含む非一時的コンピュータ可読記憶媒体を提供する。
【００１３】
本開示の実施例の第８態様によれば、上記第７態様に記載の非一時的コンピュータ可読記憶媒体、および
前記非一時的コンピュータ可読記憶媒体におけるプログラムを実行するための１つまたは複数のプロセッサを備えるサービング基地局を提供する。
【００１４】
本開示の実施例の第９態様によれば、上記第２態様に記載の方法を実行するための１つまたは複数のプログラムを含む非一時的コンピュータ可読記憶媒体を提供する。
【００１５】
本開示の実施例の第１０態様によれば、上記第９態様に記載の非一時的コンピュータ可読記憶媒体、および
前記非一時的コンピュータ可読記憶媒体におけるプログラムを実行するための１つまたは複数のプロセッサを備える端末を提供する。
【００１６】
本開示の実施例の第１１態様によれば、上記第３態様に記載の方法を実行するための１つまたは複数のプログラムを含む非一時的コンピュータ可読記憶媒体を提供する。
【００１７】
本開示の実施例の第１２態様によれば、上記第１１態様に記載の非一時的コンピュータ可読記憶媒体、および
前記非一時的コンピュータ可読記憶媒体におけるプログラムを実行するための１つまたは複数のプロセッサを備えるターゲットネットワーク機器を提供する。
【００１８】
上記技術案によれば、サービング基地局が切り替え対象端末にビーム設定情報を含む測定設定情報を送信し、該端末が該測定設定情報に基づいて隣接セルを測定した後、該端末が該ビーム設定情報に基づいて送信したビーム測定結果を受信し、該ビーム測定結果に基づいて該端末切り替え対象ターゲットセルを決定し、ターゲットネットワーク機器を介して該端末を該ターゲットセルに切り替え、このように、セル切り替えを行うときに、隣接セルを測定し、かつビーム測定結果に基づいてターゲットセルを決定することによって、従来技術に比べて、本開示は、ビームレベルに基づくセル測定を行い、ビーム測定結果に基づいて最適なターゲットセルを決定し、さらに高業務品質を高めることができる。
【図面の簡単な説明】
【００１９】
【図１】本開示の実施例によるセル切り替え方法のフロー模式図である。
【図２】本開示の実施例による別のセル切り替え方法のフロー模式図である。
【図３】本開示の実施例による第３セル切り替え方法のフロー模式図である。
【図４】本開示の実施例による第４セル切り替え方法のフロー模式図である。
【図５】本開示の実施例によるセル切り替え装置の構造模式図である。
【図６】本開示の実施例による別のセル切り替え装置の構造模式図である。
【図７】本開示の実施例による第３セル切り替え装置の構造模式図である。
【図８】本開示の実施例による第４セル切り替え装置の構造模式図である。
【図９】本開示の実施例による第５セル切り替え装置の構造模式図である。
【図１０】本開示の実施例による第６セル切り替え装置の構造模式図である。
【図１１】本開示の実施例による第７セル切り替え装置の構造模式図である。
【図１２】本開示の実施例によるセル切り替え装置のハードウェア構成模式図である。
【発明を実施するための形態】
【００２０】
以下、図面を参照しながら、本開示の実施形態について詳細に説明する。なお、ここで説明する実施形態は本開示を説明して解釈するために過ぎず、本開示を限制するものではない。
【００２１】
本開示の実施例は、５Ｇネットワークに適用でき、５Ｇネットワークでは、超高密度ネットワーキングは５Ｇネットワークにおいて重要な技術となりつつあり、将来の５Ｇネットワークの密度が従来の４Ｇネットワークの１０倍になり、つまり、４Ｇネットワークに比べて、将来の５Ｇネットワークの端末が１０倍以上の基地局数を同時に検出できる。それに加えて、超高速サービスを提供するために、５Ｇはミリ波帯を使用し、伝搬損失の大幅な上昇を解消するために、Ｍａｓｓｉｖｅ  ＭＩＭＯ（Ｍａｓｓｉｖｅ  Ｍｕｌｔｉｐｌｅ−Ｉｎｐｕｔ  Ｍｕｌｔｉｐｌｅ−Ｏｕｔｐｕｔ、大規模多入力多出力システム）を用いてビームフォーミングによるゲインで補い、セルの同期情報、放送情報、移動性に関する基準シンボルおよびユーザデータがすべてビームに基づいて送信されるようになり、ミリ波帯大型アンテナアレイ技術を用いると、セルごとに１０個以上のアナログビームを有し、端末のモバイル管理もビームに関連し、ビームに基づく測定、セル品質評価、セル選択、切り替えなどが含まれる。
【００２２】
本開示は、セル切り替え方法および装置を提供し、隣接セルの測定において、隣接セルのビームを測定し、ビーム測定結果をサービング基地局に報告し、サービング基地局は該ビーム測定結果に基づいて端末切り替え対象ターゲットセルを決定し、ターゲットネットワーク機器を介して前記端末を前記ターゲットセルに切り替え、このように、セル切り替えを行うとき、本開示は、ビームレベルに基づくセル測定を行い、ビーム測定結果に基づいて最適なターゲットセルを決定し、それによってユーザが容易に該セルに切り替えられるようにし、さらに業務品質を高める。
【００２３】
以下、実施例にて本開示について詳細に説明する。
【００２４】
図１は本開示の実施例によるセル切り替え方法であり、図１に示されるように、該方法は、切り替え対象端末の存在する現在セルの基地局であるサービング基地局に適用され、該方法は、Ｓ１０１ーＳ１０３を含む。
【００２５】
Ｓ１０１、切り替え対象端末に測定設定情報を送信する。
【００２６】
ここで、該切り替え対象端末は接続状態または非アクティブ状態の端末であってもよく、端末が上記情報に基づいて隣接セルを測定するように、該測定設定情報は、隣接セルの周波数ポイント、隣接セルの識別子、隣接セルのサービス品質の測定を示す測定マークおよびビーム設定情報を含み、該ビーム設定情報はビーム測定結果の報告閾値および報告数を含むことができ、該ビーム設定情報によりビーム測定結果が該報告閾値を満たすことを示すと、該ビーム測定結果を報告し、且つ報告したビーム測定結果の数が該報告数以下であり、該ビーム測定結果はビーム基準シンボルの受信パワーまたは受信品質であってもよく、受信パワーとは、ビーム基準シンボルの信号パワーを受信する強度、受信品質とは、ビーム基準シンボルの信号を受信する信号対雑音比である。
【００２７】
Ｓ１０２、該端末が該測定設定情報に基づいて隣接セルを測定した後、該端末が該ビーム設定情報に基づいて送信したビーム測定結果を受信する。
【００２８】
Ｓ１０３、該ビーム測定結果に基づいて該端末切り替え対象ターゲットセルを決定し、ターゲットネットワーク機器を介して該端末を該ターゲットセルに切り替える。
【００２９】
ここで、該ターゲットネットワーク機器は、ターゲットセルの基地局またはモバイル管理サーバを含み、該モバイル管理サーバはネットワークでの端末についてモバイル管理を行い、該モバイル管理サーバは基地局側に位置してもよく、独立に設置されて、複数の基地局と接続されてもよい。
【００３０】
このように、セル切り替えを行うとき、本開示は、ビームレベルに基づくセル測定を行い、ビーム測定結果に基づいて最適なターゲットセルを決定することができ、端末を該セルに切り替え、さらに業務品質を高める。
【００３１】
図２は本開示の実施例によるセル切り替え方法であり、図２に示されるように、該方法は、端末に適用され、該切り替え対象端末は接続状態または非アクティブ状態の端末であってもよく、該方法は、Ｓ２０１ーＳ２０５を含む。
【００３２】
Ｓ２０１、現在セルのサービング基地局が送信した測定設定情報を受信する。
【００３３】
ここで、端末が上記情報に基づいて隣接セルを測定するように、該測定設定情報は、隣接セルの周波数ポイント、隣接セルの識別子、隣接セルのサービス品質の測定を指示する測定マークおよびビーム設定情報を含んでもよく、該ビーム設定情報はビーム測定結果の報告閾値および報告数を含むことができ、該ビーム設定情報によりビーム測定結果が該報告閾値を満たすと示すと、該ビーム測定結果を報告し、且つ報告したビーム測定結果の数が該報告数以下であり、該ビーム測定結果はビーム基準シンボルの受信パワーまたは受信品質であってもよく、受信パワーとは、ビーム基準シンボルの信号パワーを受信する強度、受信品質とは、ビーム基準シンボルの信号を受信する信号対雑音比である。
【００３４】
Ｓ２０２、該測定設定情報に基づいて該現在セルの隣接セルのビームを測定する。
【００３５】
ここで、隣接セルのビーム基準シンボルの受信パワーまたは受信品質を測定できる。
【００３６】
Ｓ２０３、該ビーム設定情報に基づいて該サービング基地局にビーム測定結果を送信する。
【００３７】
Ｓ２０４、該サービング基地局が該ビーム測定結果に基づいて該端末切り替え対象ターゲットセルを決定した後、該サービング基地局が送信した切り替え指示メッセージを受信する。
【００３８】
Ｓ２０５、該切り替え指示メッセージに基づいて、該ターゲットセルに切り替える。
【００３９】
このように、セル切り替えを行うとき、本開示は、ビームレベルに基づくセル測定を行い、ビーム測定結果に基づいてセル切り替えを行うことができ、さらに業務品質を高める。
【００４０】
図３は本開示の実施例によるセル切り替え方法であり、図３に示されるように、該方法は、ターゲットネットワーク機器に適用され、該ターゲットネットワーク機器は、ターゲットセルの基地局またはモバイル管理サーバを含み、該モバイル管理サーバは、ネットワークでの端末についてモバイル管理を行い、該モバイル管理サーバは、基地局側に位置してもよく、独立に設置されて、複数の基地局と接続されてもよく、該方法は、Ｓ３０１ーＳ３０３を含む。
【００４１】
Ｓ３０１、サービング基地局が送信した切り替え要求メッセージを受信する。
【００４２】
ここで、該切り替え要求メッセージは、該サービング基地局が決定したターゲットセルのビーム測定結果を含み、該ビーム測定結果は、ビーム基準シンボルの受信パワーまたは受信品質であってもよく、受信パワーとは、ビーム基準シンボルの信号パワーを受信する強度、受信品質とは、ビーム基準シンボルの信号を受信する信号対雑音比である。
【００４３】
Ｓ３０２、該ビーム測定結果に基づいて、該ターゲットセルの中からターゲットビームを決定する。
【００４４】
Ｓ３０３、該サービング基地局が端末を該ターゲットビームで該ターゲットセルに切り替えるように、該サービング基地局に該ターゲットビームのビーム識別子を含む切り替え応答メッセージを送信する。
【００４５】
このように、セル切り替えを行うとき、本開示は、ビームレベルに基づくセル測定を行い、ビーム測定結果に基づいてターゲットビームを決定することができ、それによって端末が該ターゲットビームで切り替えられることが可能になり、さらに業務品質を高め、また、従来技術では、端末がターゲットセルに切り替えられた後、ターゲットセルのアナログビームについてポーリング測定を行い、ランダムアクセス要求を再開始させまたは適切なサービス情報を報告する必要があるため、エアインタフェースリソースの無駄になるとともに、切り替え遅延を大幅に増大し、さらに業務品質へ悪影響を及ぼし、それに対して本開示では、端末が直接決定したターゲットビームにおいて接続を開始させるので、ランダムアクセス要求の再開始または適切なサービス情報の報告を必要としないため、エアインタフェースリソースを節約し、切り替え遅延を減少させる。
【００４６】
図４は本開示の実施例によるセル切り替え方法であり、図４に示されるように、該方法は、Ｓ４０１ーＳ４１２を含む。
【００４７】
Ｓ４０１、サービング基地局が端末に測定設定情報を送信する。
【００４８】
ここで、該切り替え対象端末は、接続状態または非アクティブ状態の端末であってもよく、該測定設定情報は、隣接セルの周波数ポイント、隣接セルの識別子、隣接セルのサービス品質およびビーム設定情報を含んでもよく、該ビーム設定情報はビーム測定結果の報告閾値および報告数を含むことができ、該ビーム設定情報によりビーム測定結果が該報告閾値を満たすことを示すと、該ビーム測定結果を報告し、且つ報告したビーム測定結果の数は該報告数以下である。
【００４９】
Ｓ４０２、端末が該測定設定情報に基づいて存在する現在セルの隣接セルを測定する。
【００５０】
本ステップでは、端末は、測定設定情報における隣接セルの周波数ポイント、隣接セルの識別子、隣接セルのサービス品質およびビーム設定情報に基づいて隣接セルを測定して、測定結果を取得し、該測定結果は、測定された隣接セルのサービス品質および隣接セルについてビーム測定をして得たビーム測定結果を含み、該ビーム測定結果は、隣接セルのビーム基準シンボルの受信パワーまたは受信品質を測定したものとしてもよく、受信パワーとは、ビーム基準シンボルの信号パワーを受信する強度、受信品質とは、ビーム基準シンボルの信号を受信する信号対雑音比である。
【００５１】
Ｓ４０３、端末が測定した測定結果をサービング基地局に送信する。
【００５２】
ここで、該測定結果は、隣接セルのサービス品質およびビーム測定結果を含んでもよく、本ステップでは、端末は、測定結果における隣接セルのサービス品質をサービング基地局に送信し、ビーム設定情報に基づいて該サービング基地局にビーム測定結果を送信する。
【００５３】
ここで、該ビーム設定情報はビーム測定結果の報告閾値および報告数を含むことができ、このような場合、端末が隣接セルのビームを測定した後、該ビーム測定結果が該報告閾値以上のビーム数を決定でき、該ビーム数が該報告数以上である場合、該サービング基地局に第１ビーム測定結果を送信し、該ビームの数が該報告数未満である場合、該サービング基地局に第２ビーム測定結果を送信し、該第１ビーム測定結果は、該隣接セル内におけるビーム測定結果が最高のＭ個（Ｍは該報告数である）のビームのビーム測定値を含み、該第２ビーム測定結果は、該隣接セルにおけるビーム測定結果が最高のＮ個（Ｎは該ビームの数である）のビームのビーム測定値を含む。
【００５４】
なお、１つの隣接セルに複数のビームを含む場合があるため、サービング基地局が異なるビームのビーム測定結果を区別できるように、端末は、サービング基地局にビーム測定結果を送信するとき、ビーム識別子で区別することができ、可能な一実施態様では、端末は、該ビーム測定結果に対応したビーム識別子を持たせることにより、サービング基地局が該ビーム識別子に基づいてビーム測定結果を区別できるようにし、別の可能な実施態様において、サービング基地局にはビーム識別子に対応した基準シンボルシーケンス識別子（たとえばビーム番号など）が記憶されており、それによって、端末は、隣接セルを測定するときに、測定したビームに対応した基準シンボルシーケンス識別子がどれであるかを把握し、該ビーム測定結果にビーム識別子に対応した基準シンボルシーケンス識別子を持たせることで、サービング基地局が該基準シンボルシーケンス識別子に基づいて対応したビーム識別子を識別して、ビーム測定結果を区別できるようにする。
【００５５】
Ｓ４０４、サービング基地局が端末の移動速度を取得する。
【００５６】
Ｓ４０５、サービング基地局が該端末の移動速度および測定結果におけるビーム測定結果に基づいて該端末切り替え対象ターゲットセルを決定する。
【００５７】
本ステップでは、以下の方式で該ターゲットセルを決定できる。
【００５８】
該移動速度が第１所定速度閾値以上である場合、隣接セルの中からサービス品質が第１所定品質閾値以上である決定対象セルを決定し、決定対象セルごとに第１ビームの数を決定し、かつ該第１ビームの数が最も多い決定対象セルを該ターゲットセルとして決定する。
【００５９】
ここで、該第１ビームは該ビーム測定結果が該報告閾値以上のビームである。
【００６０】
このように、移動性の高い端末がターゲットセルに切り替えられるとき、その移動範囲内で複数のビームがそれにサービスを提供し、その移動性のニーズを確保するとともに、あるターゲットセルのサービス品質が最高であるが、１つだけのビームが該報告閾値を超えるとき、端末を切り替えた後に切り替え遅延内での位置の変化により、ターゲットセルに切り替えられた後に、端末にサービスを提供するのに適切なビームがないことを避ける。
【００６１】
該移動速度が該第１所定速度閾値未満で、且つ第２所定速度閾値以上である場合、サービス品質が最高のセルを該ターゲットセルとして決定する処理方式と、該決定対象セルのうちのいずれか１つのセルを該ターゲットセルとして決定する処理方式との２種の利用可能な処理方式があり、このようにして、任意に選択する場合、統計的に良好なランダム特性を有し、長期的にすべてのセルの選択確率が同じであるので、負荷のバランスをとる。
【００６２】
該移動速度が該第２所定速度閾値未満である場合、サービス品質が最高のセルを該ターゲットセルとして決定する。
【００６３】
Ｓ４０６、サービング基地局がターゲットネットワーク機器に切り替え要求メッセージを送信する。
【００６４】
ここで、該ターゲットネットワーク機器は、ターゲットセルの基地局またはモバイル管理サーバを含み、該モバイル管理サーバは、ネットワークでの端末についてモバイル管理を行い、該モバイル管理サーバは基地局側に位置してもよく、独立に設置されて、複数の基地局と接続されてもよく、該切り替え要求メッセージには、端末識別子、切り替えタイプ（たとえば、同一周波数切り替え、周波数間切り替えおよびシステム間切り替えなどのタイプを含む）、切り替え原因（たとえば、カバレッジに基づく切り替え、負荷に基づく切り替えおよび業務に基づく切り替えなどの原因）、端末コンテキスト情報（たとえば、端末の認証情報、協議したセキュリティアルゴリズム、生成したキーおよびベアラ情報などのコンテキスト情報）および該ターゲットセルのビーム測定結果が含まれ、ただし、該ターゲットセルのビーム測定結果は報告閾値以上のビーム測定結果でありうる。
【００６５】
Ｓ４０７、ターゲットネットワーク機器が該ビーム測定結果に基づいて、該端末の該ターゲットセルへの切り替えを許可するか否かを決定する。
【００６６】
本ステップでは、まず、該ビーム測定結果に対応したビーム負荷を決定し、次に、該ビーム負荷の中に負荷が所定負荷閾値以下の第２ビームが存在するか否かを判断し、該第２ビームが存在すると決定する場合、該端末の該ターゲットセルへの切り替えを許可する。
【００６７】
該端末の該ターゲットセルへの切り替えを許可すると決定すると、ステップＳ４０８―ステップＳ４１１を実行する。
【００６８】
該端末の該ターゲットセルへの切り替えを拒否すると決定すると、ステップ４１２を実行する。
【００６９】
Ｓ４０８、ターゲットネットワーク機器が該ビーム測定結果に基づいて、該ターゲットセルの中からターゲットビームを決定する。
【００７０】
可能な一実施態様では、ターゲットネットワーク機器は、該第２ビームのうちビーム測定結果が最も大きいビームを該ターゲットビームとして決定する。
【００７１】
Ｓ４０９、ターゲットネットワーク機器がサービング基地局に切り替え応答メッセージを送信する。
【００７２】
ここで、該切り替え応答メッセージは、ターゲットセル識別子、ターゲットセルの基地局が端末に割り当てる識別子情報、ターゲットセルの基地局が端末に割り当てるアクセルリソースおよび該ターゲットビームのビーム識別子などの情報を含み得る。
【００７３】
Ｓ４１０、サービング基地局が端末に該ビーム識別子を含む切り替え指示メッセージを送信する。
【００７４】
ここで、該切り替え指示情報は切り替え命令またはＲＲＣ（Ｒａｄｉｏ  Ｒｅｓｏｕｒｃｅ  Ｃｏｎｔｒｏｌ、無線リソース制御プロトコル）再構築メッセージ（たとえば、切り替え命令に基づいて切り替えが失敗したとき、ＲＲＣ再構築メッセージを使用できる）としてもよく、該切り替え命令またはＲＲＣ再構築メッセージは、ターゲットセル識別子、ターゲットセルの基地局が端末に割り当てる識別子情報、ターゲットセルの基地局が端末に割り当てるアクセスリソースおよび該ターゲットビームのビーム識別子などの情報を含み得る。
【００７５】
Ｓ４１１、端末を、該切り替え指示メッセージにおけるビーム識別子で標識されたターゲットビームで、該ターゲットセルに切り替える。
【００７６】
ここで、端末は、該切り替え指示情報に基づいてターゲットセルのターゲットビームにおいてアクセス要求を開始させることで、該ターゲットセルに切り替えられ、ターゲットセルに切り替えられた後、ターゲットセルの基地局は、サービング基地局またはモバイル管理サーバに切り替え完了メッセージを送信する。
【００７７】
Ｓ４１２、ターゲットネットワーク機器がサービング基地局による切り替え要求を拒否する。
【００７８】
このように、セル切り替えを行うとき、本開示は、ビームレベルに基づくセル測定を行い、ビーム測定結果に基づいてターゲットビームを決定することができ、それによって端末が該ターゲットビームで切り替えられることが可能になり、さらに業務品質を高め、また、従来技術では、端末がターゲットセルに切り替えられた後、ターゲットセルのアナログビームについてポーリング測定を行い、ランダムアクセス要求を再開始させまたは適切なサービス情報を報告する必要があるため、エアインタフェースリソースの無駄になるとともに、切り替え遅延を大幅に増大し、さらに業務品質へ悪影響を及ぼし、それに対して本開示では、端末が直接決定したターゲットビームにおいて接続を開始させるので、ランダムアクセス要求の再開始または適切なサービス情報の報告を必要としないため、エアインタフェースリソースを節約し、切り替え遅延を減少させる。
【００７９】
なお、上記方法実施例については、説明の便宜上、一連の作動の組み合わせとして説明したが、当業者が公知するように、本開始は説明した動作の順番に制限されず、本開示によれば、一部のステップはほかの順番に従ってまたは同時に行えるためである。また、当業者が公知するように、明細書に説明される実施例はすべて好適実施例であり、関連する動作やモジュールは必ず本開始にとって必須なものと限らない。
【００８０】
図５は本発明の実施例によるセル切り替え装置であり、図５に示されるように、サービング基地局に適用され、該装置は、
切り替え対象端末に、ビーム設定情報を含む測定設定情報を送信する第１送信モジュール５０１と、
該端末が該測定設定情報に基づいて隣接セルを測定した後、該端末が該ビーム設定情報に基づいて送信したビーム測定結果を受信する第１受信モジュール５０２と、
該ビーム測定結果に基づいて該端末切り替え対象ターゲットセルを決定し、ターゲットネットワーク機器を介して該端末を該ターゲットセルに切り替えるセル決定モジュール５０３とを備える。
【００８１】
該ビーム設定情報はビーム測定結果の報告閾値および報告数を含むようにしてもよい。
【００８２】
図６に示されるように、該装置はさらに、
該端末の移動速度を取得する第１取得モジュール５０４を備え、
該セル決定モジュール５０３は、該移動速度および該ビーム測定結果に基づいて該端末切り替え対象ターゲットセルを決定するようにしてもよい。
【００８３】
該セル決定モジュール５０３は、該移動速度が第１所定速度閾値以上である場合、隣接セルの中からサービス品質が第１所定品質閾値以上である決定対象セルを決定し、決定対象セルごとに該ビーム測定結果が該報告閾値以上のビームである第１ビームの数を決定し、かつ該第１ビームの数が最も多い決定対象セルを該ターゲットセルとして決定し、該移動速度が該第１所定速度閾値未満で、且つ第２所定速度閾値以上である場合、サービス品質が最高のセルを該ターゲットセルとして決定し、または、該決定対象セルのうちのいずれかのセルを該ターゲットセルとして決定し、該移動速度が該第２所定速度閾値未満である場合、サービス品質が最高のセルを該ターゲットセルとして決定するようにしてもよい。
【００８４】
図７に示されるように、該セル決定モジュール５０３は、
該ターゲットネットワーク機器が該ビーム測定結果に基づいて、該端末の該ターゲットセルへの切り替えを許可するか否かを決定するように、ターゲットネットワーク機器に該ターゲットセルのビーム測定結果を含む切り替え要求メッセージを送信する第１送信サブモジュール５０３１と、
該ターゲットネットワーク機器が該端末の該ターゲットセルへの切り替えを許可し、該ビーム測定結果に基づいて、該ターゲットセルの中からターゲットビームを決定した後、該ターゲットネットワーク機器が送信し該ターゲットビームのビーム識別子を含む切り替え応答メッセージを受信する受信サブモジュール５０３２と、
該端末が該ビーム識別子に基づいて該ターゲットビームで該ターゲットセルに切り替えられるように、該端末に該ビーム識別子を含む切り替え指示メッセージを送信する第２送信サブモジュール５０３３とを備えるようにしてもよい。
【００８５】
このように、セル切り替えを行うとき、本開示は、ビームレベルに基づくセル測定を行い、ビーム測定結果に基づいて最適なターゲットセルを決定することができ、端末を該セルに切り替え、さらに業務品質を高める。
【００８６】
なお、当業者にとって明らかなように、説明の便宜および簡潔さから、上記説明した装置の具体的な作動過程およびその説明について、上記方法の実施例における対応過程を参照すればよいため、ここで詳細な説明を省略する。
【００８７】
図８は、本発明の実施例によるセル切り替え装置であり、図８に示されるように、端末に適用され、該装置は、
現在セルのサービング基地局が送信しビーム設定情報を含む測定設定情報を受信する第２受信モジュール８０１と、
該測定設定情報に基づいて、該現在セルの隣接セルのビームを測定する測定モジュール８０２と、
該ビーム設定情報に基づいて該サービング基地局にビーム測定結果を送信する第２送信モジュール８０３と、
該サービング基地局が該ビーム測定結果に基づいて該端末切り替え対象ターゲットセルを決定した後、該サービング基地局が送信した切り替え指示メッセージを受信する第３受信モジュール８０４と、
該切り替え指示メッセージに基づいて、該ターゲットセルに切り替える切り替えモジュール８０５とを備える。
【００８８】
該ビーム設定情報はビーム測定結果の報告閾値および報告数を含み、
該第２送信モジュール８０３は、該ビーム測定結果が該報告閾値以上のビームの数を決定し、該ビームの数が該報告数以上である場合、該サービング基地局に、該隣接セル内におけるビーム測定結果が最高のＭ個（Ｍは該報告数である）のビームのビーム測定値を含む第１ビーム測定結果を送信し、該ビームの数が該報告数未満である場合、該サービング基地局に、第２ビーム測定結果を送信し、該隣接セル内におけるビーム測定結果が最高のＮ個（Ｎは該ビームの数である）のビームのビーム測定値を含むようにしてもよい。
【００８９】
該切り替え指示メッセージは、ターゲットビームのビーム識別子を含み、
該切り替えモジュール８０５は、該ビーム識別子に基づいて該ターゲットビームで該ターゲットセルに切り替えるようにしてもよい。
【００９０】
このように、セル切り替えを行うとき、本開示は、ビームレベルに基づくセル測定を行い、ビーム測定結果に基づいてセル切り替えを行うことができ、さらに業務品質を高める。
【００９１】
なお、当業者にとって明らかなように、説明の便宜および簡潔さから、上記説明した装置の具体的な作動過程およびその説明について、上記方法の実施例における対応過程を参照すればよいため、ここで詳細な説明を省略する。
【００９２】
図９は、本発明の実施例によるセル切り替え装置であり、図９に示されるように、ターゲットネットワーク機器に適用され、該装置は、
サービング基地局が送信し該サービング基地局が決定したターゲットセルのビーム測定結果を含む切り替え要求メッセージを受信する要求メッセージ受信モジュール９０１と、
該ビーム測定結果に基づいて、該ターゲットセルの中からターゲットビームを決定するビーム決定モジュール９０２と、
該サービング基地局が端末を該ターゲットビームで該ターゲットセルに切り替えるように、該サービング基地局に該ターゲットビームのビーム識別子を含む切り替え応答メッセージを送信する第３送信モジュール９０３とを備える。
【００９３】
図１０に示されるように、該装置はさらに、
該ビーム測定結果に基づいて、該端末の該ターゲットセルへの切り替えを許可するか否かを決定する判断モジュール９０４と、
該ビーム測定結果に基づいて、該端末の該ターゲットセルへの切り替えを許可すると決定する場合、該ビーム測定結果に基づいて、該ターゲットセルの中からターゲットビームを決定する該ビーム決定モジュール９０２とを備えるようにしてもよい。
【００９４】
図１１に示されるように、該判断モジュール９０４は、
該ビーム測定結果に対応したビーム負荷を決定する第１決定サブモジュール９０４１と、
前記ビーム負荷の中から負荷が所定負荷閾値以下の第２ビームが存在するか否かを判断する判断サブモジュール９０４２と、
該第２ビームが存在すると決定する場合、該端末の該ターゲットセルへの切り替えを許可する第２決定サブモジュール９０４３とを備えるようにしてもよい。
【００９５】
該ビーム決定モジュール９０２は、該第２ビームのうちビーム測定結果が最も大きいビームを該ターゲットビームとして決定するようにしてもよい。
【００９６】
該ターゲットネットワーク機器は、ターゲットセルの基地局またはモバイル管理サーバを含むようにしてもよい。
【００９７】
このように、セル切り替えを行うとき、本開示は、ビームレベルに基づくセル測定を行い、ビーム測定結果に基づいてターゲットビームを決定することができ、それによって端末が該ターゲットビームで切り替えられることが可能になり、さらに業務品質を高め、また、従来技術では、端末がターゲットセルに切り替えられた後、ターゲットセルのアナログビームについてポーリング測定を行い、ランダムアクセス要求を再開始させまたは適切なサービス情報を報告する必要があるため、エアインタフェースリソースの無駄になるとともに、切り替え遅延を大幅に遅延させ、さらに業務品質へ悪影響を及ぼし、それに対して本開示では、端末が直接決定したターゲットビームにおいて接続を開始させるので、ランダムアクセス要求の再開始または適切なサービス情報の報告を必要としないため、エアインタフェースリソースを節約し、切り替え遅延を減少させる。
【００９８】
図１２は、本開示の一実施例によるセル切り替え装置のブロック図であり、図１２に示されるように、該装置は、サービング基地局、端末またはターゲットネットワーク機器に適用でき、該装置１２００は、プロセッサ１２０１、メモリ１２０２、マルチメディアコンポーネント１２０３、入力／出力（Ｉ／Ｏ）インターフェース１２０４、および通信コンポーネント１２０５を備えてもよい。
【００９９】
図１２は、本開示の一実施例によるセル切り替え装置のブロック図であり、図１０に示されるように、該装置は、サービング基地局、端末またはターゲットネットワーク機器に適用でき、該装置１２００は、プロセッサ１２０１、メモリ１２０２、マルチメディアコンポーネント１２０３、入力／出力（Ｉ／Ｏ）インターフェース１２０４、および通信コンポーネント１２０５を備えてもよい。
【０１００】
ここで、プロセッサ１２０１は、該装置１２００全体の操作を制御して、上記セル切り替え方法のすべてまたは一部のステップを実行する。メモリ１２０２は、装置１２００での操作をサポートするように各種タイプのデータを記憶し、これらデータは、該装置１２００において操作されるいずれかのアプリケーションまたは方法の命令、およびアプリケーションに関連するデータ、たとえば連絡先データ、受送信するメッセージ、ピクチャ、オーディオ、ビデオなどを含む。
【０１０１】
該メモリ１２０２は、任意のタイプの揮発性または非揮発性記憶端末デバイスまたはこれらの組み合わせとして実現でき、たとえばスタティックランダムアクセスメモリ（Ｓｔａｔｉｃ  Ｒａｎｄｏｍ  Ａｃｃｅｓｓ  Ｍｅｍｏｒｙ、略語ＳＲＡＭ）、電気的消去可能プログラマブル読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略語ＥＥＰＲＯＭ）、消去可能プログラマブル読み出し専用メモリ（Ｅｒａｓａｂｌｅ  Ｐｒｏｇｒａｍｍａｂｌｅ  Ｒｅａｄ−Ｏｎｌｙ  Ｍｅｍｏｒｙ、略語ＥＰＲＯＭ）、プログラマブル読み取り専用メモリ（Ｐｒｏｇｒａｍｍａｂｌｅ  Ｒｅａｄ−Ｏｎｌｙ  Ｍｅｍｏｒｙ、略語ＰＲＯＭ）、読み取り専用メモリ（Ｒｅａｄ−Ｏｎｌｙ  Ｍｅｍｏｒｙ、略語ＲＯＭ）、磁気メモリ、フラッシュメモリ、磁気ディスクまたは光ディスクである。マルチメディアコンポーネント１１０３は画面およびオーディオコンポーネントを含むことができる。画面は、たとえばタッチスクリーンであってもよく、オーディオコンポーネントはオーディオ信号を出力および／または入力する。たとえば、オーディオコンポーネントは、外部オーディオ信号を受信するマイクを含んでもよい。受信されるオーディオ信号はさらにメモリ１２０２に記憶されるか、または通信コンポーネント１２０５を介して送信されてもよい。オーディオコンポーネントはさらに、オーディオ信号を出力する少なくとも１つのスピーカーを含む。Ｉ／Ｏインターフェース１２０４は、プロセッサ１２０１およびほかのインターフェースモジュールの間のインターフェースとして機能し、上記ほかのインターフェースモジュールは、キーボード、マウス、ボタンなどであってもよい。これらボタンは仮想ボタンまたは物理ボタンである。コンポーネント１２０５は、該装置１２００とほかの端末デバイスとの間の有線または無線通信に用いられる。無線通信は、たとえばＷｉ−Ｆｉ、ブルートゥース（登録商標）、近距離無線通信（Ｎｅａｒ  Ｆｉｅｌｄ  Ｃｏｍｍｕｎｉｃａｔｉｏｎ、略語ＮＦＣ）、２Ｇ、３Ｇまたは４Ｇ、またはそれらのうちの１種または複数種の組み合わせであり、これに対応して、該通信コンポーネント１２０５は、Ｗｉ−Ｆｉモジュール、ブルートゥース（登録商標）モジュール、ＮＦＣモジュールを含んでもよい。
【０１０２】
一例示的な実施例では、装置１２００は、１つまたは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略語ＡＳＩＣ）、デジタルシグナルプロセッサ（Ｄｉｇｉｔａｌ  Ｓｉｇｎａｌ  Ｐｒｏｃｅｓｓｏｒ、略語ＤＳＰ）、デジタル信号処理端末デバイス（Ｄｉｇｉｔａｌ  Ｓｉｇｎａｌ  Ｐｒｏｃｅｓｓｉｎｇ  Ｄｅｖｉｃｅ、略語ＤＳＰＤ）、プログラマブルロジックデバイス（Ｐｒｏｇｒａｍｍａｂｌｅ  Ｌｏｇｉｃ  Ｄｅｖｉｃｅ、略語ＰＬＤ）、フィールドプログラマブルゲートアレイ（Ｆｉｅｌｄ  Ｐｒｏｇｒａｍｍａｂｌｅ  Ｇａｔｅ  Ａｒｒａｙ、略語ＦＰＧＡ）、コントローラ、マイクロコントローラ、マイクロプロセッサまたはほかの電子素子として実現でき、上記セル切り替え方法を実行する。
【０１０３】
本開示の実施例はさらに、セル切り替え方法を実行するための１つまたは複数のプログラムを含む非一時的コンピュータ可読記憶媒体１を提供し、該方法は、切り替え対象端末に、ビーム設定情報を含む測定設定情報を送信するステップと、該端末が該測定設定情報に基づいて隣接セルを測定した後、該端末が該ビーム設定情報に基づいて送信したビーム測定結果を受信するステップと、該ビーム測定結果に基づいて該端末切り替え対象ターゲットセルを決定し、ターゲットネットワーク機器を介して該端末を該ターゲットセルに切り替えるステップとを含む。
【０１０４】
該ビーム設定情報はビーム測定結果の報告閾値および報告数を含むようにしてもよい。
【０１０５】
該ビーム測定結果に基づいて該端末切り替え対象ターゲットセルを決定する該ステップの前に、該方法はさらに、該端末の移動速度を取得するステップを含み、該ビーム測定結果に基づいて該端末切り替え対象ターゲットセルを決定する該ステップは、該移動速度および該ビーム測定結果に基づいて該端末切り替え対象ターゲットセルを決定するステップを含むようにしてもよい。
【０１０６】
該移動速度および該ビーム測定結果に基づいて該端末切り替え対象ターゲットセルを決定するステップは、該移動速度が第１所定速度閾値以上である場合、隣接セルの中からサービス品質が第１所定品質閾値以上である決定対象セルを決定し、決定対象セルごとに該ビーム測定結果が該報告閾値以上のビームである第１ビームの数を決定し、かつ該第１ビームの数が最も多い決定対象セルを該ターゲットセルとして決定し、該移動速度が該第１所定速度閾値未満で、且つ第２所定速度閾値以上である場合、サービス品質が最高のセルを該ターゲットセルとして決定し、または、該決定対象セルのうちのいずれかのセルを該ターゲットセルとして決定し、該移動速度が該第２所定速度閾値未満である場合、サービス品質が最高のセルを該ターゲットセルとして決定するようにしてもよい。
【０１０７】
該ターゲットネットワーク機器を介して該端末を該ターゲットセルに切り替えるステップは、
該ターゲットネットワーク機器が該ビーム測定結果に基づいて、該端末の該ターゲットセルへの切り替えを許可するか否かを決定するように、ターゲットネットワーク機器に該ターゲットセルのビーム測定結果を含む切り替え要求メッセージを送信するステップと、
該ターゲットネットワーク機器が該端末の該ターゲットセルへの切り替えを許可し、該ビーム測定結果に基づいて、該ターゲットセルの中からターゲットビームを決定した後、該ターゲットネットワーク機器が送信し該ターゲットビームのビーム識別子を含む切り替え応答メッセージを受信するステップと、
該端末が該ビーム識別子に基づいて該ターゲットビームで該ターゲットセルに切り替えられるように、該端末に該ビーム識別子を含む切り替え指示メッセージを送信するステップとを含むようにしてもよい。
【０１０８】
本開示の実施例はさらに、
上記非一時的コンピュータ可読記憶媒体１、および
上記非一時的コンピュータ可読記憶媒体１におけるプログラムを実行するための１つまたは複数のプロセッサを備える端末１を提供する。
【０１０９】
本開示の実施例はさらに、セル切り替え方法を実行するための１つまたは複数のプログラムを含む非一時的コンピュータ可読記憶媒体２を提供し、該方法は、現在セルのサービング基地局が送信しビーム設定情報を含む測定設定情報を受信するステップと、該測定設定情報に基づいて該現在セルの隣接セルのビームを測定するステップと、該ビーム設定情報に基づいて該サービング基地局にビーム測定結果を送信するステップと、該サービング基地局が該ビーム測定結果に基づいて該端末切り替え対象ターゲットセルを決定した後、該サービング基地局が送信した切り替え指示メッセージを受信するステップと、該切り替え指示メッセージに基づいて、該ターゲットセルに切り替えるステップとを含む。
【０１１０】
該ビーム設定情報はビーム測定結果の報告閾値および報告数を含み、該該ビーム設定情報に基づいて該サービング基地局にビーム測定結果を送信するステップは、該ビーム測定結果が該報告閾値以上のビームの数を決定するステップと、該ビームの数が該報告数以上である場合、該サービング基地局に、該隣接セル内におけるビーム測定結果が最高のＭ個（Ｍは該報告数である）のビームのビーム測定値を含む第１ビーム測定結果を送信するステップと、該ビームの数が該報告数未満である場合、該サービング基地局に、第２ビーム測定結果を送信し、該隣接セル内におけるビーム測定結果が最高のＮ個（Ｎは該ビームの数である）のビームのビーム測定値を含むステップとを含むようにしてもよい。
【０１１１】
該切り替え指示メッセージは、ターゲットビームのビーム識別子を含み、該該切り替え指示メッセージに基づいて、該ターゲットセルに切り替えるステップは、該ビーム識別子に基づいて該ターゲットビームで該ターゲットセルに切り替えるステップを含むようにしてもよい。
【０１１２】
本開示の実施例はさらに、
上記非一時的コンピュータ可読記憶媒体２、および
上記非一時的コンピュータ可読記憶媒体２におけるプログラムを実行するための１つまたは複数のプロセッサを備える端末２を提供する。
【０１１３】
本開示の実施例はさらに、セル切り替え方法を実行するための１つまたは複数のプログラムを含む非一時的コンピュータ可読記憶媒体３を提供し、該方法は、サービング基地局が送信し該サービング基地局が決定したターゲットセルのビーム測定結果を含む切り替え要求メッセージを受信するステップと、該ビーム測定結果に基づいて、該ターゲットセルの中からターゲットビームを決定するステップと、該サービング基地局が端末を該ターゲットビームで該ターゲットセルに切り替えるように、該サービング基地局に該ターゲットビームのビーム識別子を含む切り替え応答メッセージを送信するステップとを含む。
【０１１４】
該ビーム測定結果に基づいて、該ターゲットセルの中からターゲットビームを決定する前に、該方法はさらに、該ビーム測定結果に基づいて、該端末の該ターゲットセルへの切り替えを許可するか否かを決定するステップを含み、該ビーム測定結果に基づいて、該ターゲットセルの中からターゲットビームを決定するステップは、該ビーム測定結果に基づいて、該端末の該ターゲットセルへの切り替えを許可すると決定する場合、該ビーム測定結果に基づいて、該ターゲットセルの中からターゲットビームを決定するステップを含むようにしてもよい。
【０１１５】
該ビーム測定結果に基づいて、該端末の該ターゲットセルへの切り替えを許可するか否かを決定するステップは、該ビーム測定結果に対応したビーム負荷を決定するステップと、該ビーム負荷の中から負荷が所定負荷閾値以下の第２ビームが判断するか否かを判断するステップと、該第２ビームが存在すると決定する場合、該端末の該ターゲットセルへの切り替えを許可するステップとを含むようにしてもよい。
【０１１６】
該ビーム測定結果に基づいて、該ターゲットセルの中からターゲットビームを決定するステップは、該第２ビームのうちビーム測定結果が最も大きいビームを該ターゲットビームとして決定するステップを含むようにしてもよい。
【０１１７】
該ターゲットネットワーク機器は、ターゲットセルの基地局またはモバイル管理サーバを含むようにしてもよい。
【０１１８】
本開示の実施例はさらに、
上記非一時的コンピュータ可読記憶媒体３、および
上記非一時的コンピュータ可読記憶媒体３におけるプログラムを実行するための１つまたは複数のプロセッサを備える端末３を提供する。
【０１１９】
以上、図面を参照しながら、本開示の好適実施形態を詳細に説明したが、本開示は上記実施形態における詳細に制限されず、本開示の技術構想から逸脱せずに、本開示の技術案に対して様々な簡単な変形を行うことができ、これら簡単な変形はいずれも本開示の保護範囲に属する。
【０１２０】
また、なお、上記実施形態において説明した各具体的な技術的特徴は、矛盾しない限り、適切な方式で組み合わせてもよく、不必要な重複を避けるために、本開示では、各種の可能な組み合わせ方式について説明しない。
【０１２１】
また、本開示の各実施形態同士も任意に組み合わせてもよく、本開示の趣旨から逸出しない限り、同様に本開示の開示内容とみなされるべきである。
【図１】
0006793420.tif 000002
【図２】
0006793420.tif 000003
【図３】
0006793420.tif 000004
【図４】
0006793420.tif 000005
【図５】
0006793420.tif 000006
【図６】
0006793420.tif 000007
【図７】
0006793420.tif 000008
【図８】
0006793420.tif 000009
【図９】
0006793420.tif 000010
【図１０】
0006793420.tif 000011
【図１１】
0006793420.tif 000012
【図１２】
0006793420.tif 000013